(57)【要約】【課題】高周波電極と粘膜面との接触部における電流密度を確保して十分な焼灼、凝固能を発揮しつつ、高周波電極を粘膜面の広い範囲に接触させて焼灼と凝固を手際よく一様に行うことができる内視鏡用高周波処置具を提供すること。【解決手段】粘膜面に対して面接触する接触面が形成された面状高周波電極３が電気絶縁性のシース１の先端に配置された内視鏡用高周波処置具において、面状高周波電極３に、肉抜き孔状の通孔３０を形成したものである。【選択図】      図１
2005278759.tif 000002
【特許請求の範囲】
【請求項１】
粘膜面に対して面接触する接触面が形成された面状高周波電極が電気絶縁性のシースの先端に配置された内視鏡用高周波処置具において、上記面状高周波電極に、肉抜き孔状の通孔を形成したことを特徴とする内視鏡用高周波処置具。
【請求項２】
上記通孔が、上記面状高周波電極の外縁に触れない範囲に形成されている請求項１記載の内視鏡用高周波処置具。
【請求項３】
上記面状高周波電極が先端の幅が広がったしゃもじ状に形成されていて、その先端の幅が広がった部分に上記通孔が形成されている請求項１又は２記載の内視鏡用高周波処置具。
【請求項４】
上記面状高周波電極が先端が側方に曲がった鎌状に形成されていて、その先端の側方に曲がった部分に上記通孔が形成されている請求項１又は２記載の内視鏡用高周波処置具。
【請求項５】
上記通孔が、上記面状高周波電極の外縁に沿って略一定幅の肉を残した状態に形成されている請求項２、３又は４記載の内視鏡用高周波処置具。
【請求項６】
上記通孔が、複数に分かれて上記面状高周波電極に形成されている請求項２、３又は４記載の内視鏡用高周波処置具。
【発明の詳細な説明】
【技術分野】
【０００１】
この発明は、内視鏡の処置具挿通チャンネルに通されて、粘膜面の焼灼、凝固を行うために用いられる内視鏡用高周波処置具に関する。
【背景技術】
【０００２】
内視鏡用高周波処置具としては各種の形状、方式のものがあるが、粘膜面の焼灼、凝固を行うために用いられる内視鏡用高周波処置具として、粘膜面に対して面接触する接触面が形成された面状高周波電極が電気絶縁性のシースの先端に配置されたものがある（例えば、特許文献１）。
【特許文献１】特開平６−２９２６８５、図１
【発明の開示】
【発明が解決しようとする課題】
【０００３】
粘膜面の焼灼と凝固を手際よく一様に行うためには、高周波電極が粘膜面の広い範囲に触れるのが好ましいが、粘膜面に対する接触面積が大きくなると、接触部における高周波電流の電流密度が小さくなって焼灼、凝固能が低下してしまう。
【０００４】
そこで本発明は、高周波電極と粘膜面との接触部における電流密度を確保して十分な焼灼、凝固能を発揮しつつ、高周波電極を粘膜面の広い範囲に接触させて焼灼と凝固を手際よく一様に行うことができる内視鏡用高周波処置具を提供することを目的とする。
【課題を解決するための手段】
【０００５】
上記の目的を達成するため、本発明の内視鏡用高周波処置具は、粘膜面に対して面接触する接触面が形成された面状高周波電極が電気絶縁性のシースの先端に配置された内視鏡用高周波処置具において、面状高周波電極に、肉抜き孔状の通孔を形成したものであり、通孔が、面状高周波電極の外縁に触れない範囲に形成されているとよい。
【０００６】
また、面状高周波電極が先端の幅が広がったしゃもじ状に形成されていて、その先端の幅が広がった部分に通孔が形成されていてもよく、或いは、面状高周波電極が先端が側方に曲がった鎌状に形成されていて、その先端の側方に曲がった部分に通孔が形成されていてもよい。
【０００７】
そして、通孔が面状高周波電極の外縁に沿って略一定幅の肉を残した状態に形成されていてもよく、或いは、通孔が複数に分かれて面状高周波電極に形成されていてもよい。
【発明の効果】
【０００８】
本発明によれば、面状高周波電極に肉抜き孔状の通孔を形成したことにより、高周波電極と粘膜面との接触部における電流密度を確保して十分な焼灼、凝固能を発揮しつつ、高周波電極を粘膜面の広い範囲に接触させて焼灼と凝固を手際よく一様に行うことができる。
【発明を実施するための最良の形態】
【０００９】
粘膜面に対して面接触する接触面が側面に形成された面状高周波電極が電気絶縁性のシースの先端に配置された内視鏡用高周波処置具において、面状高周波電極に、外縁に触れないように肉抜き孔状の通孔を形成する。
【実施例】
【００１０】
図面を参照して本発明の実施例を説明する。
図１と図２は内視鏡用高周波処置具の先端部分の平面断面図と側面断面図であり、例えば四フッ化エチレン樹脂チューブ等のような電気絶縁性のある可撓性チューブからなるシース１内に、導電性のある操作ワイヤ４が軸線方向に進退自在に全長にわたって挿通配置されている。
【００１１】
操作ワイヤ４の先端には、ステンレス鋼パイプ材等からなる接続パイプ５を介して、例えばステンレス鋼板等により形成された導電性ロッド２が、シース１の先端から突没自在にシース１の先端部分に配置され、導電性ロッド２の最先端部分には面状高周波電極３が形成されている。
【００１２】
この実施例の面状高周波電極３は、導電性ロッド２と一体に全体として平らなしゃもじ状に形成されている。即ち、導電性ロッド２がしゃもじの柄部分に相当して、面状高周波電極３と導電性ロッド２とは同一平面上にあり、偏平に広がった面状高周波電極３の表裏両面が粘膜面に対して面接触する接触面になっている。
【００１３】
そして、そのようなしゃもじ状に形成された面状高周波電極３の先端の幅が広がった部分に、肉抜き孔状の通孔３０が、面状高周波電極３の外縁に触れないように面状高周波電極３の外縁に沿って略一定幅の肉を残した状態に形成されている。
【００１４】
また、図示されていないシース１の基端側には、操作ワイヤ４を進退操作するための操作部が連結されていて、導電性ロッド２を操作部からの遠隔操作によってシース１の先端内に突没させることができ、操作部側から操作ワイヤ４と導電性ロッド２を介して面状高周波電極３に高周波電流を通電することができる。
【００１５】
図３は、そのように構成された実施例の内視鏡用高周波処置具を内視鏡５０の処置具挿通チャンネル５１から突出させて、観察窓５２を通して観察しながら、粘膜面に対する止血処置を行っている状態を示している。
【００１６】
図中１０２は粘膜面に露出する血管の端部であり、それを囲むように面状高周波電極３を粘膜面に接触させて高周波電流を通電すると、血管の端部１０２が通孔３０内に位置していて面状高周波電極３に直接触れていなくても、その周囲が全範囲において焼灼、凝固されて手際よく止血することができる。
【００１７】
そして、面状高周波電極３に通孔３０が形成されていることにより、通孔３０が形成されていない場合よりも粘膜面との接触面積が小さくて接触部における電流密度が大きくなるので、十分な焼灼、凝固能を発揮することができる。
【００１８】
図４は、上述のように構成された実施例の内視鏡用高周波処置具を用いて粘膜１００を切開する状態を示しており、面状高周波電極３を粘膜１００の表面に対して立った状態に当て付けて高周波電流を通電し、導電性ロッド２をシース１側に引っ張ることにより粘膜１００が面状高周波電極３との接触部において切開される。
【００１９】
この場合にも、面状高周波電極３に通孔３０が形成されていることにより、通孔３０が形成されていない場合よりも粘膜面との接触面積が小さくて接触部における電流密度が大きくなるので、十分な切開能を発揮することができる。
【００２０】
図５は、そのようにして切開された粘膜１００を剥離する状態を示しており、面状高周波電極３を水平にして、高周波電流を通電せずに粘膜１００の切開部に差し込んでしゃくり上げるように動かすことにより、切開部の内側の粘膜１００をその下の筋層１０１等から剥離することができ、面状高周波電極３が平板状なので剥離作業を容易かつ確実に行うことができる。
【００２１】
そして、剥離部において血管が切断されて出血が生じたら、図３を参照して説明したように、内視鏡５０に対して高周波処置具を挿脱し直すことなく、出血部１０２の周囲を焼灼、凝固して、容易に止血することができる。
【００２２】
図６は、本発明の第２の実施例の内視鏡用高周波処置具の先端部分を示しており、シース１の先端に突出固定された導電性ロッド２の先端部分に、先端が側方に曲がった鎌状の面状高周波電極３が形成されて、その側面が粘膜面に面接触する接触面になっている。
【００２３】
そして、面状高周波電極３の外縁に沿って略一定幅の肉を残した状態に通孔３０が形成されていることにより、第１の実施例と同様に、面状高周波電極３と粘膜面との接触部における電流密度を確保して十分な焼灼、凝固能を発揮しつつ、面状高周波電極３を粘膜面の広い範囲に接触させて焼灼と凝固を手際よく一様に行うことができる。
【００２４】
図７は、本発明の第３の実施例の内視鏡用高周波処置具の先端部分を示しており、第２の実施例と同様の先端が側方に曲がった鎌状に形成された面状高周波電極３に、円形の通孔３０を複数に分けて形成したものである。
【００２５】
このように構成しても、第２の実施例と同様に、面状高周波電極３と粘膜面との接触部における電流密度を確保して十分な焼灼、凝固能を発揮しつつ、面状高周波電極３を粘膜面の広い範囲に接触させて焼灼と凝固を手際よく一様に行うことができる。
【図面の簡単な説明】
【００２６】
【図１】本発明の第１の実施例の内視鏡用高周波処置具の先端部分の平面断面図である。
【図２】本発明の第１の実施例の内視鏡用高周波処置具の先端部分の側面断面図である。
【図３】本発明の第１の実施例の内視鏡用高周波処置具の使用状態の一例を示す略示図である。
【図４】本発明の第１の実施例の内視鏡用高周波処置具の使用状態の第２の例を示す略示図である。
【図５】本発明の第１の実施例の内視鏡用高周波処置具の使用状態の第３の例を示す略示図である。
【図６】本発明の第２の実施例の内視鏡用高周波処置具の先端部分の斜視図である。
【図７】本発明の第３の実施例の内視鏡用高周波処置具の先端部分の斜視図である。
【符号の説明】
【００２７】
１  シース
２  導電性ロッド
３  面状高周波電極
４  操作ワイヤ
３０  通孔
【図１】
2005278759.tif 000003
【図２】
2005278759.tif 000004
【図３】
2005278759.tif 000005
【図４】
2005278759.tif 000006
【図５】
2005278759.tif 000007
【図６】
2005278759.tif 000008
【図７】
2005278759.tif 000009